(57)【要約】【課題】排水設備の不要な冷蔵庫を提供するためには排水ポンプなどの電動機を用いる必要があり、省エネルギー化に逆行していた。【解決手段】庫外へ配置された除霜水貯留タンク６と機械室２へ配置された蒸発水貯留タンク１４とを蒸発水連通管１２と庫内連通管１３にて庫内まで接続し蒸発水貯留タンク１４の下部に第２の逆止弁１５を配置し第２の逆止弁１５下部には、蒸発皿７を設置することにより、ドア開閉による庫内と庫外の差圧を用いて除霜水排水タンク６に溜まった除霜水を蒸発皿７まで搬送させることができるため、排水ポンプを用いることなく排水設備の不要な冷蔵庫を提供することができる。【選択図】  図１
2005030636.tif 000002
【特許請求の範囲】
【請求項１】
庫内に冷凍用の蒸発器を備えた冷蔵室と前記冷蔵室の上部に機械室を配置し、前記機械室にはコンデンシングユニットを設置した冷凍機内蔵型の冷蔵機器において、除霜時に前記蒸発器から滴下する除霜水を受ける除霜水受け皿と前記除霜水受け皿で受けた前記除霜水を庫外へ排出し、また、第１の逆止弁により、前記除霜水や空気の逆流防止が図られた除霜水排水管と、前記除霜水排水管により庫外へ排水された前記除霜水を一時的に貯留する除霜水貯留タンクと、一方が前記冷却室の扉開閉による前記庫内と庫外との差圧を用いて前記除霜水を前記除霜水貯留タンクから蒸発水連通管を通り、他方が前記庫内の前記蒸発器の下流側に排気させる庫内連通管とを備えられ機械室に配置した蒸発水貯留タンクと、前記蒸発水貯留タンクの下部に設けた第２の逆止弁により前記除霜水を蒸発皿へ送水させ前記蒸発皿へ送水された前記除霜水をコンデンシングユニットの排熱により蒸発処理することを特徴とした冷蔵機器の除霜水蒸発処理装置。
【請求項２】
蒸発水貯留タンクの下部に電磁弁を配置し、空気の逆流防止のため庫内連通管に第３の逆止弁を設置したことを特徴とする請求項１に記載の冷蔵機器の除霜水蒸発処理装置。
【発明の詳細な説明】
【０００１】
【発明の属する技術分野】
本発明は、機械室が庫内と同位置以上の高さに配置されている冷蔵庫などを対象とした除霜水蒸発処理装置。
【０００２】
【従来の技術】
近年、冷蔵庫は価格低下、省施工、及びトップランナー方式の採用による省エネルギー化が進んでいる。
【０００３】
従来の冷蔵庫の除霜水蒸発処理装置としては、以下の示されるものがある（例えば、特許文献１参照。）。
【０００４】
以下、図面を参照しながら上記従来の除霜水蒸発処理装置の動作を説明する。
【０００５】
図３は、従来の冷蔵庫の除霜水蒸発処理装置の構成断面図である。
【０００６】
１は冷蔵室、２は冷蔵室１の上部側に画成した機械室、３は機械室２内に搭載した冷凍機のコンデンシングユニットであり、冷蔵室１の室内には蒸発器４が配置され、その下面側を除霜水受け皿５で覆っている。ここで、蒸発器４の背後には除霜水貯留タンク６が設置されている。一方、機械室２にはコンデンシングユニット３の後部側（風冷式コンデンシングユニットでその排気側）にドレン水の蒸発皿７が配置されており、６と蒸発皿７との間を連ねて排水ポンプ８、排水導管９が配備されている。なお、３ａはコンデンシングユニット３の送風ファンである。
【０００７】
以上のように構成された従来の除霜水蒸発処理装置について、以下にその動作を説明する。
【０００８】
除霜運転時に冷蔵室１の蒸発器４に生じた除霜水は液滴となって除霜水受け皿５に滴下した後、除霜水受け皿５の傾斜面を伝って除霜水貯留タンク６に流入し一時的に貯留される。そして、除霜運転が終了し保冷運転が再開すると、排水ポンプ８を始動して除霜水貯留タンク６に溜まっている除霜水は排水導管９を通じて機械室２内の蒸発皿７に移し変える。この状態では、蒸発皿７の周域にはコンデンシングユニット３を通過した排熱風Ａが通風し、この排熱で蒸発皿７に溜まっている除霜水が蒸発し、排気風と一緒に機外に排出される。
【０００９】
【特許文献１】
特開平１０−１３２４４６号公報
【００１０】
【発明が解決しようとする課題】
しかしながら、上記従来の構成では、保冷運転中には排水ポンプ８が常に運転することになり、排水ポンプ８の振動，騒音が大きく、信頼性，耐久性の確認に時間がかかり、かつ、消費電力が上昇してしまうなどの欠点があった。
【００１１】
【課題を解決するための手段】
この目的を達成するため本発明は、冷蔵庫のドア開閉による冷蔵庫の庫内と庫外の差圧を用いて除霜水を蒸発皿まで搬送させるため、排水ポンプを用いることなく排水設備の不要な冷蔵庫を提供することができる。
【００１２】
【発明の実施の形態】
以下、業務用冷蔵庫を例に本発明の実施例について図面を参照しながら説明する。なお、従来と同一の構成については、同一符号を符して詳細な説明を省略する。
【００１３】
（実施の形態１）
図１は、本発明の実施の形態１による業務用冷蔵庫の除霜水蒸発処理装置の構成断面図である。
【００１４】
１は冷蔵室、２は冷蔵室１の上部側に画成した機械室、３は機械室２内に搭載した冷凍機のコンデンシングユニットであり、冷蔵室１の室内には蒸発器４が配置され、その下面側を除霜水受け皿５で覆っている。除霜水受け皿５は背面方向に下方傾斜されており、除霜水排水管１０と接続され、除霜水排水管１０は、冷蔵室１の背面庫外と連通しており、除霜水排水管１０の内部には、除霜水の逆流や庫外からの空気が流入しないように第１の逆止弁１１を設けている。背面の庫外には除霜水貯留タンク６が配置され、機械室に配置された蒸発水貯留タンク１４と蒸発水連通管１２にて接続されている。１３は庫内連通管であり、蒸発水貯留タンク１４と蒸発器４内下方の冷蔵室１に配置している。１５は第２の逆止弁であり、蒸発水貯留タンク１４から蒸発皿７への一方通行になるよう設置している。なお、３ａはコンデンシングユニット３の送風ファンである。
【００１５】
以上のように構成された業務用冷蔵庫の除霜水蒸発処理装置についてその動作を説明する。
【００１６】
通常の保冷運転中に、保温運転している食品やドア開閉により新たに入れ替えられた空気の持つ湿気のほとんどは、蒸発器４に付着し除湿される。除霜運転時に蒸発器４に付着した霜は液滴となって除霜水受け皿５に滴下した後、除霜水受け皿５の傾斜面を伝い除霜水排水管１０を通って除霜水貯留タンク６に流入し一時的に貯留される。そして、除霜運転が終了し保冷運転が再開され、庫内温度が庫外温度よりも低くなると、庫外の圧力Ｐ１（大気圧）に比べて、庫内の圧力Ｐ２は低い状態にて保持されるため、再度ドア開閉されると、庫内で入れ替えられた庫外の空気は圧縮され、さらに庫外の空気を吸い込む作用を行う。このとき、庫内連通管１３が蒸発水貯留タンク１４から空気を吸引し、蒸発水貯留タンク１４は除霜水貯留タンク６から除霜水を吸い上げる。除霜水貯留タンク６内の除霜水を吸い上げ終えた場合または除霜水がない場合は、空気を流入して、庫内と庫外は均圧する。
【００１７】
蒸発水貯留タンク１４に貯められた除霜水は、庫内と庫外が均圧された後に、第２の逆止弁１５を通り蒸発皿７へ落ちる。蒸発皿７の周域にはコンデンシングユニット３を通過した排熱風Ａが通風し、この排熱で蒸発皿７に溜まっている除霜水が蒸発し、排気風と一緒に機外に排出される。
【００１８】
なおコンデンシングユニット３が風冷式でない場合には、蒸発皿７をコンデンシングユニット３のコンデンサ上部に伝熱的に配置して除霜水を蒸発することもできる。
【００１９】
（実施の形態２）
図２は、本発明の実施の形態２による業務用冷蔵庫の除霜水蒸発処理装置の構成断面図である。
【００２０】
１６は電磁弁であり、蒸発水貯留タンク１４から蒸発皿７への滴下量を制御できるように配置し、１７は第３の逆止弁であり、庫内連通管１３内部に空気の逆流防止用に配置している。
【００２１】
以上のように構成された業務用冷蔵庫の除霜水蒸発処理装置についてその動作を説明する。
【００２２】
通常の保冷運転中に、保温運転している食品やドア開閉により新たに入れ替えられた空気の持つ湿気のほとんどは、蒸発器４に付着し除湿される。除霜運転時に蒸発器４に付着した霜は液滴となって除霜水受け皿５に滴下した後、除霜水受け皿５の傾斜面を伝い除霜水排水管１０を通って除霜水貯留タンク６に流入し一時的に貯留される。そして、除霜運転が終了し保冷運転が再開され、庫内温度が庫外温度よりも低くなると、庫外の圧力Ｐ１（大気圧）に比べて、庫内の圧力Ｐ２は低い状態にて保持されるため、再度ドア開閉されると、庫内で入れ替えられた庫外の空気は圧縮され、さらに庫外の空気を吸い込む作用を行う。このとき、庫内連通管１３が蒸発水貯留タンク１４から空気を吸引し、蒸発水貯留タンク１４は除霜水貯留タンク６から除霜水を吸い上げる。除霜水貯留タンク６内の除霜水を吸い上げ終えた場合または除霜水がない場合は、空気を流入して、庫内と庫外は均圧する。
【００２３】
蒸発水貯留タンク１４に貯められた除霜水は、電磁弁１６の通電時に蒸発皿７へ落ちる。蒸発皿７の周域にはコンデンシングユニット３を通過した排熱風Ａが通風し、この排熱で蒸発皿７に溜まっている除霜水が蒸発し、排気風と一緒に機外に排出される。
【００２４】
なおコンデンシングユニット３が風冷式でない場合には、蒸発皿７をコンデンシングユニット３のコンデンサ上部に伝熱的に配置して除霜水を蒸発することもできる。
【００２５】
【発明の効果】
以上説明したように、請求項１に記載の発明は、庫内に冷凍用の蒸発器を備えた冷蔵室と前記冷蔵室の上部に機械室を配置し、前記機械室にはコンデンシングユニットを設置した冷凍機内蔵型の冷蔵機器において、除霜時に前記蒸発器から滴下する除霜水を受ける除霜水受け皿と前記除霜水受け皿で受けた前記除霜水を庫外へ排出し、また、第１の逆止弁により、前記除霜水や空気の逆流防止が図られた除霜水排水管と、前記除霜水排水管により庫外へ排水された前記除霜水を一時的に貯留する除霜水貯留タンクと、一方が前記冷却室の扉開閉による前記庫内と庫外との差圧を用いて前記除霜水を前記除霜水貯留タンクから蒸発水連通管を通り、他方が前記庫内の前記蒸発器の下流側に排気させる庫内連通管とを備えられ機械室に配置した蒸発水貯留タンクと、前記蒸発水貯留タンクの下部に設けた第２の逆止弁により前記除霜水を蒸発皿へ送水させ前記蒸発皿へ送水された前記除霜水をコンデンシングユニットの排熱により蒸発処理する構成のため、ドア開閉による冷蔵庫の庫内と庫外の差圧を用いて、除霜水を蒸発皿まで搬送させるので、排水ポンプを用いることなく排水設備の不要な冷蔵庫を提供することができる。
【００２６】
また、請求項２に記載の発明は、請求項１に記載の発明での蒸発水貯留タンクの下部に電磁弁を配置し、空気の逆流防止のため庫内連通管に第３の逆止弁を設置したことを特徴とするため、コンデンシングユニットの排熱による蒸発能力を監視しながら除霜水を蒸発皿へ滴下させることができるため、常に最適な状態にて除霜水を蒸発させる効果を有する。さらに、前記庫内連通管内部の除霜水貯留タンク内に除霜水がない場合においても、冷蔵庫内と冷蔵庫外の空気の授受がないことから、プルダウン性能に優れ、高性能，省エネルギー化が行える効果を有する。
【図面の簡単な説明】
【図１】本発明による冷蔵機器の除霜水蒸発処理装置の実施例１の構成断面図
【図２】本発明による冷蔵機器の除霜水蒸発処理装置の実施例２の構成断面図
【図３】従来の冷蔵機器の除霜水蒸発処理装置の構成断面図
【符号の説明】
１    冷蔵室
２    機械室
３    コンデンシングユニット
４    蒸発器
５    除霜水受け皿
６    除霜水貯留タンク
７    蒸発皿
８    排水ポンプ
９    排水導管
１０    除霜水排水管
１１    第１の逆止弁
１２    蒸発水連通管
１３    庫内連通管
１４    蒸発水貯留タンク
１５    第２の逆止弁
１６    電磁弁
１７    第３の逆止弁
３ａ    送風ファン
Ａ      排熱風
【図１】
2005030636.tif 000003
【図２】
2005030636.tif 000004
【図３】
2005030636.tif 000005